(57)【要約】【課題】テレビジョン受信装置に携帯撮像装置を接続し、テレビジョン受信装置およびネットワークを介して携帯撮像装置から出力される画像データを送受信できる。【解決手段】テレビジョン受信装置１１ａ、１１ｂに携帯撮像装置３ａ、３ｂをインターフェイス４ａ、４ｂを介して接続する。テレビジョン受信装置１１ａ、１１ｂはモデム７ａ、７ｂを介してネットワーク１２に接続されている。テレビジョン受信装置１１ａを通話モードにし、携帯撮像装置３ａから出力される画像データを送信する。テレビジョン受信装置１１ｂで送信される画像データを受信することにより、互いに離れた場所からテレビ電話や、携帯撮像装置３ａに記録される画像を見ることができる。【選択図】  図１
2005086399.tif 000002
【特許請求の範囲】
【請求項１】
携帯撮像装置とテレビジョン受信装置とがインターフェイスを介して接続され、上記携帯撮像装置の出力する画像データを送信する送信方法において、
上記テレビジョン受信装置に対してリモートコントロール信号を送出して通信モードとし、上記テレビジョン受信装置の画面に相手先リストを表示するステップと、
上記相手先リストの中から特定の相手を選択し、上記携帯撮像装置の出力する画像データを上記選択した相手に上記テレビジョン受信装置、上記インターフェイスおよびネットワークを経由して送信するステップとからなる送信方法。
【請求項２】
請求項１に記載の送信方法において、
上記携帯撮像装置の撮影している画像データを上記選択した相手に送信する送信方法。
【請求項３】
請求項２に記載の送信方法において、
更に上記携帯撮像装置が収集した音声データを上記選択した相手に送信する送信方法。
【請求項４】
請求項１に記載の送信方法において、
上記携帯撮像装置に録画されている画像データを上記選択した相手に送信する送信方法。
【請求項５】
請求項１に記載の送信方法において、
上記選択した相手に送信する画像データが圧縮された画像データである送信方法。
【請求項６】
携帯撮像装置とテレビジョン受信装置とがインターフェイスを介して接続され、上記携帯撮像装置の出力する画像データを送信する送信装置において、
上記テレビジョン受信装置に対してリモートコントロール信号を送出し、上記テレビジョン受信装置を通信モードに設定し、
上記テレビジョン受信装置の画面に表示された相手先のリスト内の特定の相手を指示するリモートコントロール手段と、
上記指示された特定の相手に対して上記携帯撮像装置から出力される画像データを上記インターフェイスを介して上記テレビジョン受信装置に供給し、上記テレビジョン受信装置からネットワークを介して送信する通信手段とからなる送信装置。
【請求項７】
請求項６に記載の送信装置において、
上記携帯撮像装置の撮影している画像データを上記選択した相手に送信する送信装置。
【請求項８】
請求項７に記載の送信装置において、
更に上記携帯撮像装置が収集した音声データを上記選択した相手に送信する送信装置。
【請求項９】
請求項６に記載の送信装置において、
上記携帯撮像装置に録画されている画像データを上記選択した相手に送信する送信装置。
【請求項１０】
請求項６に記載の送信装置において、
上記選択した相手に送信する画像データが圧縮された画像データである送信装置。
【請求項１１】
特定の相手から送信される画像データを、携帯撮像装置がインターフェイスを介して接続されたテレビジョン受信装置によって受信する受信方法において、
上記画像データが受信されたことを上記テレビジョン受信装置の画面に通知するステップと、
上記特定の相手から送信された画像データを受信するかどうかをリモートコントロール信号によって指示するステップと、
上記特定の相手から送信された画像データを受信するときは、上記テレビジョン受信装置の画面に相手から送信される画像データが表示されるステップとからなる受信方法。
【請求項１２】
請求項１１に記載の受信方法において、
送信側に携帯撮像装置が設けられ、上記携帯撮像装置の現在撮影している画像データを上記特定の相手から受信する受信方法。
【請求項１３】
請求項１２に記載の受信方法において、
更に音声データを上記特定の相手から受信するステップを有する受信方法。
【請求項１４】
請求項１１に記載の受信方法において、
録画され、再生された画像データを上記特定の相手から受信する受信方法。
【請求項１５】
請求項１１に記載の受信方法において、
上記特定の相手から受信する上記画像データが圧縮された画像データである受信方法。
【請求項１６】
特定の相手から送信される画像データを、携帯撮像装置がインターフェイスを介して接続されたテレビジョン受信装置によって受信する受信装置において、
上記画像データが受信されたことを受信装置に備えられる画面に通知する通信手段と、
上記相手から送信された画像データを受信するかどうかをリモートコントロール信号によって指示するリモートコントロール手段と、
上記相手から送信された画像データを受信するときは、上記受信装置の画面に相手から送信される画像データが表示される表示手段とからなる受信装置。
【請求項１７】
請求項１６に記載の受信装置において、
送信側に携帯撮像装置が設けられ、上記携帯撮像装置の現在撮影している画像データを上記特定の相手から受信する受信装置。
【請求項１８】
請求項１７に記載の受信装置において、
更に上記撮像装置が収集した音声データを上記特定の相手から受信する受信装置。
【請求項１９】
請求項１６に記載の受信装置において、
録画、再生されている画像データを上記特定の相手から受信する受信装置。
【請求項２０】
請求項１６に記載の受信装置において、
上記特定の相手から受信する上記画像データが圧縮された画像データである受信装置。
【請求項２１】
携帯撮像装置とテレビジョン受信装置とがインターフェイスを介して接続され、上記携帯撮像装置の出力する画像データをネットワークに対して送出し、上記ネットワークから画像データを受け取る送受信方法において、
上記テレビジョン受信装置に対してリモートコントロール信号を送出して通信モードに設定し、上記テレビジョン受信機の画面上に表示された相手先リスト内の特定の相手を指示するステップと、
上記指示された特定の相手に対して上記携帯撮像装置の出力する画像データを上記インターフェイス、上記テレビジョン受信装置および上記ネットワークを経由して送信するステップと、
上記特定の相手から送信される画像データを受信するステップとからなる送受信方法。
【請求項２２】
請求項２１に記載の送受信方法おいて、
上記携帯撮像装置の撮影している画像データを上記選択した相手に送信する送受信方法。
【請求項２３】
請求項２２に記載の送受信方法において、
更に上記携帯撮像装置が収集した音声データを上記選択した相手に送信する送受信方法。
【請求項２４】
請求項２１に記載の送受信方法において、
上記携帯撮像装置に録画されている画像データを上記選択した相手に送信する送受信方法。
【請求項２５】
請求項２１に記載の送受信方法において、
上記選択した相手に送信する画像データが圧縮された画像データである送受信方法。
【請求項２６】
請求項２１に記載の送受信方法において、
更に上記特定の相手から受信した画像データをテレビジョン受信装置の画面に表示するステップを有する送受信方法。
【請求項２７】
携帯撮像装置とテレビジョン受信装置とがインターフェイスを介して接続され、上記携帯撮像装置の出力する画像データをネットワークに対して送出し、上記ネットワークから画像データを受け取る送受信装置において、
上記テレビジョン受信装置に対してリモートコントロール信号を送出して通信モードに設定し、上記テレビジョン受信機の画面上に表示された相手先リスト内の特定の相手を指示するリモートコントロール手段と、
上記指示された特定の相手に対して上記携帯撮像装置の出力する画像データを上記インターフェイス、上記テレビジョン受信装置および上記ネットワークを経由して送信する通信手段と、
上記特定の相手からの画像データを受信する通信手段とからなる送受信装置。
【請求項２８】
請求項２７に記載の送受信装置おいて、
上記携帯撮像装置の撮影している画像データを上記選択した相手に送信する送受信装置。
【請求項２９】
請求項２８に記載の送受信装置において、
更に上記携帯撮像装置が収集した音声データを上記選択した相手に送信する送受信装置。
【請求項３０】
請求項２７に記載の送受信装置において、
上記携帯撮像装置に録画されている画像データを上記選択した相手に送信する送受信装置。
【請求項３１】
請求項２７に記載の送受信装置において、
上記選択した相手に送信する画像データが圧縮された画像データである送受信装置。
【請求項３２】
請求項２７に記載の送受信装置において、
更に上記特定の相手から受信した画像データをテレビジョン受信装置の画面に表示する表示手段とからなる送受信装置。
【発明の詳細な説明】
【技術分野】
【０００１】
この発明は、例えば携帯撮像装置から出力される画像データをネットワークを介して送受信する通信システムに対して適用可能な送信方法、送信装置、受信方法、受信装置、送受信方法、送受信装置に関する。
【背景技術】
【０００２】
パーソナルコンピューター（以下、パソコンと称する。）を用いてテレビジョン電話（以下、適宜テレビ電話と称する。）を実現するためのテレビ電話ソフトウェアは市販されている。また、テレビジョン受信装置を利用して映像を送受信するためのいわゆるセットトップボックスにカメラ等の撮像装置を繋ぎ、セットトップボックスからアナログでテレビに接続したテレビ電話もある。更に携帯電話等の通信装置とターミナルアダプタを利用したテレビ電話もあり、下記の特許文献１に記載されている。
【特許文献１】特開平１１−２３４６４２号公報
【発明の開示】
【発明が解決しようとする課題】
【０００３】
しかしながら、テレビジョン受信装置にテレビ電話機能を搭載したものは無く、また、専用カメラを必要とせず携帯撮像装置をそのまま接続するだけで、テレビ電話として使えるものはなかった。テレビジョン受信装置にパソコンの機能を内蔵することにより、この発明と同様の効果を得ることは出来るが、テレビジョン受信装置自体が高価なものになってしまう問題点があった。また、パソコンの操作に不慣れなユーザにとっては、簡単に起動できなかったり、ユーザインターフェイスもパソコンの操作方法を理解していないユーザには難しくわかりづらいものであった。
【０００４】
携帯撮像装置をパソコンに接続するテレビ電話の場合も、例えばＩＥＥＥ（Institute of Electrical and Electronics Engineers）１３９４やＵＳＢ(Universal Serial Bus)を用いてテレビ電話用の専用カメラをデジタル接続する必要があった。このやり方では、テレビ電話をかける相手も同様に専用カメラを必要とするため、デジタル接続が可能な携帯撮像装置やＵＳＢインターフェイスを持つ専用カメラを必要とした。
【０００５】
したがって、この発明の目的は、テレビ電話のために新たな機器をそろえることなく、またテレビジョン受信装置をリモコンコマンダで操作することによって、携帯撮像装置から出力される画像データを、ネットワークを介して送受信することが可能な送信方法、送信装置、受信方法、受信装置、送受信方法、送受信装置を提供することである。
【課題を解決するための手段】
【０００６】
上述した課題を解決するために、請求項１の発明は、
携帯撮像装置とテレビジョン受信装置とがインターフェイスを介して接続され、携帯撮像装置の出力する画像データを送信する送信方法において、
テレビジョン受信装置に対してリモートコントロール信号を送出して通信モードとし、テレビジョン受信装置の画面に相手先リストを表示するステップと、
相手先リストの中から特定の相手を選択し、携帯撮像装置の出力する画像データを選択した相手にテレビジョン受信装置、インターフェイスおよびネットワークを経由して送信するステップとからなる送信方法である。
【０００７】
請求項６の発明は、
携帯撮像装置とテレビジョン受信装置とがインターフェイスを介して接続され、携像装置の出力する画像データを送信する送信装置において、
テレビジョン受信装置に対してリモートコントロール信号を送出し、テレビジョン受信装置を通信モードに設定し、
テレビジョン受信装置の画面に表示された相手先のリスト内の特定の相手を指示するリモートコントロール手段と、
指示された特定の相手に対して携帯撮像装置から出力される画像データをインターフェイスを介してテレビジョン受信装置に供給し、テレビジョン受信装置からネットワークを介して送信する通信手段とからなる送信装置である。
【０００８】
請求項１１の発明は、
特定の相手から送信される画像データを、携帯撮像装置がインターフェイスを介して接続されたテレビジョン受信装置によって受信する受信方法において、
画像データが受信されたことをテレビジョン受信装置の画面に通知するステップと、
特定の相手から送信された画像データを受信するかどうかをリモートコントロール信号によって指示するステップと、
特定の相手から送信された画像データを受信するときは、テレビジョン受信装置の画面に相手から送信される画像データが表示されるステップとからなる受信方法である。
【０００９】
請求項１６の発明は、
特定の相手から送信される画像データを、携帯撮像装置がインターフェイスを介して接続されたテレビジョン受信装置によって受信する受信装置において、
画像データが受信されたことを受信装置に備えられる画面に通知する通信手段と、
相手から送信された画像データを受信するかどうかをリモートコントロール信号によって指示するリモートコントロール手段と、
相手から送信された画像データを受信するときは、受信装置の画面に相手から送信される画像データが表示される表示手段とからなる受信装置である。
【００１０】
請求項２１の発明は、
携帯撮像装置とテレビジョン受信装置とがインターフェイスを介して接続され、携帯撮像装置の出力する画像データをネットワークに対して送出し、ネットワークから画像データを受け取る送受信方法において、
テレビジョン受信装置に対してリモートコントロール信号を送出して通信モードに設定し、テレビジョン受信機の画面上に表示された相手先リスト内の特定の相手を指示するステップと、
指示された特定の相手に対して携帯撮像装置の出力する画像データをインターフェイス、テレビジョン受信装置およびネットワークを経由して送信するステップと、
特定の相手から送信される画像データを受信するステップとからなる送受信方法である。
【００１１】
請求項２７の発明は、
携帯撮像装置とテレビジョン受信装置とがインターフェイスを介して接続され、携帯撮像装置の出力する画像データをネットワークに対して送出し、ネットワークから画像データを受け取る送受信装置において、
テレビジョン受信装置に対してリモートコントロール信号を送出して通信モードに設定し、テレビジョン受信機の画面上に表示された相手先リスト内の特定の相手を指示するリモートコントロール手段と、
指示された特定の相手に対して携帯撮像装置の出力する画像データをインターフェイス、テレビジョン受信装置およびネットワークを経由して送信する通信手段と、
特定の相手からの画像データを受信する通信手段とからなる送受信装置である。
【発明の効果】
【００１２】
この発明によれば、ユーザが、現在所有している携帯撮像装置をテレビジョン受信装置と接続するだけでテレビ電話を実現することができる。また、携帯撮像装置とテレビジョン受信装置はデジタル接続されているので、テレビジョン受信装置のリモコンの操作だけで携帯撮像装置の制御できる。即ち、２つのリモコンコマンダが不要となる。
【００１３】
この発明によれば、携帯撮像装置を、インターフェイスを介してテレビジョン受信装置と接続し、テレビジョン受信装置をネットワークに接続することにより離れた場所で携帯撮像装置からの出力を互いに見ることができる。
【００１４】
更にこの発明によれば、リモコン信号によって携帯撮像装置を録画、停止、再生、ズームなどの制御ができるので、画像データを制御しながら見ることができる。また記録済みの画像データを相手に送信することができる。
【発明を実施するための最良の形態】
【００１５】
以下、図面を参照しながらこの発明の一実施形態について説明する。図１はこの発明の一実施形態の概要を示す。参照符号１１ａおよび１１ｂで示すテレビジョン受信装置にそれぞれカメラ部２ａ、２ｂを備える携帯撮像装置３ａ、３ｂがインターフェース４ａ、４ｂを介して接続されている。また、テレビジョン受信装置１１ａおよびテレビジョン受信装置１１ｂは、モデム７ａ、７ｂを介してネットワーク１２とも接続されている。モデム７ａ、７ｂには例えば、ＡＤＳＬ（Asymmetric Digital Subscriber Line）モデムが用いられる。尚、この一実施形態は、参照符号１ａで示す家のＡから参照符号１ｂで示す家のＢへ電話をかけるテレビ電話の例である。
【００１６】
テレビジョン受信装置１１ａおよびテレビジョン受信装置１１ｂにはネットワーク１２を介して画像データを送受信するための通信手段、例えばネットワークモジュール８ａおよび８ｂがそれぞれ内蔵されている。尚、ネットワークモジュール８ａおよび８ｂの構成については後述する。
【００１７】
また、テレビジョン受信装置１１ａの画面は、親画面５ａと子画面６ａとに分割されており、親画面５ａには通話相手Ｂの画像が表示され、子画面６ａには自分Ａの画像が表示される。一方、テレビジョン受信装置１１ｂの親画面５ｂには通話相手Ａの画像が表示され、子画面６ｂには自分Ｂの画像が表示される。テレビジョン受信装置１１ａおよびテレビジョン受信装置１１ｂの画面の構成は、このように親画面と子画面とに分割せずに、例えば全面にテレビ電話の通話相手の画像が表示されるようにしてもよい。
【００１８】
テレビジョン受信装置１１ａには、リモコン信号受信部９ａが備えられており、リモコンコマンダ１０ａからのリモコン信号を受信する。テレビジョン受信装置１１ａと携帯撮像装置３ａがデジタルインターフェイスによって接続されているので、リモコンコマンダ１０ａを操作することにより、テレビジョン受信装置１１ａのみならず携帯撮像装置３ａも制御することができる。また、テレビジョン受信装置１１ａには、メモリーカードを挿入するスロット部１３ａが備えられている。
【００１９】
Ｂ側のテレビジョン受信装置１１ｂ、携帯撮像装置３ｂ等の装置についてはＡ側の装置と略同じである。Ａからテレビ電話がかかってくると着信メロディが鳴り、テレビジョン受信装置１１ｂに通知される。Ｂはリモコンコマンダ１０ｂを操作し、テレビ電話モードの画面を表示することによりＡと通話することができる。
【００２０】
図２Ａおよび図２Ｂは、携帯撮像装置３ａ（図示を省略する。）を接続したテレビジョン受信装置１１ａを制御するリモコンコマンダ１０ａの操作の一例である。ユーザがリモコンコマンダ１０ａのテレビ電話のボタンを押すと、リモコン信号受信部９ａにより信号が受信され、テレビ電話モードとなる。テレビ電話モードによりネットワークモジュール８ａが動作し、図２Ｂに示すようにテレビジョン受信装置１１ａの画面に接続相手の相手先リストが表示される。このとき接続できる相手とできない相手がリストアップされる。例えば図２Ｂに示すようにＣ子には×印がついているため接続ができない。
【００２１】
また、画面に表示されたリストにない相手を新たに登録する時は、画面上の追加アイコンを選択して、相手の「メンバーＩＤ（Identifier）」を登録する。このようにアイコンを選択等したりするため、リモコンコマンダ１０ａに設けられるキー、例えば十字キーが使用される。
【００２２】
通話相手Ｂのテレビジョン受信装置１１ｂの画面には図２Ｃのような画面が表示される。テレビ電話がかかってくるとネットワークモジュール８ｂが作動し、着信メロディが鳴り、テレビジョン受信装置１１ｂの画面に「電話がかかってきました」のメッセージが画面に表示される。Ｂは、画面に表示される「受ける」、「受けない」、「保留」のアイコンのいずれかリモコンコマンダ１０ｂを操作して選択する。例えば「受ける」のアイコンを選択すると、通話相手Ａと通話することが可能となる。
【００２３】
図３Ａはこの一実施形態のテレビ電話の初期設定方法の一例を示す図である。ここではテレビジョン受信装置１１ａを用いるが、テレビジョン受信装置１１ｂについても同様である。最初にテレビ電話モードに入ったとき、つまり初回起動時に、テレビジョン受信装置１１ａの画面にはセットアップ画面とテレビ電話接続サービスへの登録画面が表示される。画面に表示されるガイドに従って使用しているネットワーク環境等を選択し、メールアドレスを取得する要領で「メンバーＩＤ」を登録することによりテレビ電話を使用できるようになる。またテレビ電話に関するサービスの内容の変更は画面に表示される「設定」から行うことができる。
【００２４】
テレビ電話は、テレビ電話用のソフトウェアを用いるためソフトウェアのバージョンアップが必要となる。図３Ｂはバージョンアップの方法の一例を示す。テレビジョン受信装置１１ａの前面に備えられるメモリースティック（商品名）等のメモリーカードのスロット部１３ａにバージョンアッププログラムが組み込まれたメモリーカードを挿入すれば自動的にバージョンアップが行える。またメモリーカードを用いなくても、例えばインターネットを介してプログラムをダウンロードすること等によりバージョンアップを行うこともできる。
【００２５】
図４はテレビ電話の動作を示すフローチャートである。ステップＳ１においてユーザはリモコンコマンダを操作して「テレビ電話ボタン」を押す。リモコンコマンダの「テレビ電話ボタン」を押すと、テレビジョンに内蔵されているネットワークモジュールが動作し、（ステップＳ２）テレビ電話が可能な相手のＩＰ（Internet Protocol）アドレスにアクセスする。またネットワーク利用サービスが可能かチェックし、テレビジョンの画面にＧＵＩ（Graphical User Interface）で図２Ｂのようなリストを表示させる（ステップＳ４）。
【００２６】
ステップＳ５で、テレビ電話を自分からかける場合と相手側からかかってくる場合に分かれる。自分からテレビ電話をかける場合は、ステップＳ６に処理が進む。スッテプＳ６でリストにテレビ電話の相手がいるかどうかが確認される。リストに無い場合はステップＳ１１に進み、追加するメンバーのＩＤを入力する。
【００２７】
画面に表示されるリストの中から「ＯＫ」マークがでている相手をリモコンにより選択し（ステップＳ７）、ステップＳ８に処理が進む。テレビジョンと携帯撮像装置がデジタル接続の場合はＤＶ(Digital Video)フォーマットからＭＰＥＧ（Moving Picture Expert Group）４に変換して（ステップＳ８）、相手にコンテンツを送出し、通信状態となる（ステップＳ９）。コンテンツを送出するときは、例えばＨＴＴＰ（Hyper Text Transfer Protocol）が用いられる。通信状態になると画面にテレビ電話の通話画面が表示される（ステップＳ１２）。
【００２８】
一方、相手側からテレビ電話が掛かってくるときは、ステップＳ５からステップＳ１０に処理が進む。相手側からテレビ電話が掛かってくると、着信メロディが鳴り、図２Ｃに示すような受信画面が表示される（ステップＳ１０）。テレビ電話の受け手では、受信するかどうかを判断し（ステップＳ１３）、受信しない場合は拒否または保留を選択する（ステップＳ１４）。拒否を選択するとテレビ電話が終了する。受信するを選択した場合はステップＳ８に処理が進み、上述したようにテレビ電話によって通話する状態となる（ステップＳ８、ステップＳ９、ステップＳ１２）。
【００２９】
図５は、この発明の一実施形態におけるテレビジョン受信装置１１ａの構成の一例を示す。デジタル放送（ＢＳ、ＣＳまたは地上波）を受信する場合、アンテナ（図示しない）により受信された信号は、デジタルチューナ２１で復調され、デスクランブラ２４でデスクランブルされる。そして多重分離装置２７で各々のチャンネルが分離され、ビデオデコーダ２８およびオーディオデコーダ３５によりビデオおよびオーディオ信号が復号される。オーディオ信号はＤＡＣ（Digital to Analog conversion）３４でＤ／Ａ変換され、スピーカ３５に供給される。ビデオ信号処理のためテレビジョン受信装置１１ａにはＭＰＵ（Microprocessing Unit)２５およびフラッシュメモリ２６が設けられている。
【００３０】
ビデオデコーダ２８で復号されたビデオ信号が画像処理部２９に供給される。画像処理部２９は、解像度を改善する等のデジタル画像処理を行うものである。画像処理部２９の出力信号が、ビデオ信号処理部３０およびネットワークモジュール８ａに供給される。ビデオ信号処理部３０では、Ｄ／Ａ変換がなされ、アナログビデオ信号がＣＲＴ（Cathode Ray Tube）やＬＣＤ（Liquid Crystal Display）等のディスプレイ３２に供給され、表示される。
【００３１】
また、参照符号２２は、アナログ地上波チューナを示す。チューナ２２から出力されるビデオ信号およびオーディオ信号がＡＤＣ（Analog to Digital conversion）２３によりＡ／Ｄ変換されデジタルビデオ信号へ変換される。デジタルビデオ信号が画像処理部２９およびビデオ信号処理部３０を介してディスプレイ３２に表示される。デジタルオーディオ信号がオーディオデコーダ３３を介してＤＡＣ３４によりＤ／Ａ変換され、アナログオーディオ信号がスピーカ３５に供給される。
【００３２】
さらに、参照符号３１はテレビジョン受信装置１１ａ全体の動作を制御するためのマイクロコンピュータである。リモコン信号受信部９ａで受信されたリモコン信号がマイクロコンピュータ３１に供給される。マイクロコンピュータ３１がデジタルチューナ２１およびアナログチューナ２２等の構成要素を制御する。携帯撮像装置３ａからのＤＶフォーマットの撮像信号がネットワークモジュール８ａにおいて、ベースバンド信号へデコードされ、さらにネットワーク例えばインターネットに適したＭＰＥＧ４のフォーマットに変換される。
【００３３】
ネットワークモジュール８ａは、画像処理部２９、オーディオデコーダ３３およびマイクロコンピュータ３１と接続されている。またネットワークモジュール８ａは、インターフェイス４ａ例えばＩＥＥＥ１３９４を介して携帯撮像装置３ａと接続されている。更に、ネットワークモジュール８ａは、モデム７ａを介してネットワーク例えば、インターネットと接続されている。
【００３４】
図６はネットワークモジュール８ａの構成の一例を示す。ＣＰＵ(Central Processing Unit)５０はＭＰＥＧ４のエンコードおよびデコード、２Ｄ(Dimension)グラフィックス処理、ＵＳＢやＰＣＩバス（Peripheral Component Interconnect）等を制御する。またＣＰＵ５０のＰＣＩバスには、プログラム格納用のフラッシュメモリ５１、画像処理用のＳＤＲＡＭ(Synchronous Dynamic Random Access Memory)５２、ＬＡＮ(Local Area Network)のインターフェイス５３およびＩＥＥＥ１３９４のインターフェイス５４が接続されている。
【００３５】
ＣＰＵ５０によって処理された信号は、ビデオ信号、オーディオ信号として出力される。またインターフェイス５３およびＬＡＮを介してテレビジョン受信装置がネットワーク例えばインターネットと接続される。尚、ネットワークモジュール８ｂも同様の構成をしている。
【００３６】
一例として、ネットワークモジュール８ａ、８ｂは、パソコンのチップ構成とは異なり、特定アプリケーションに特化しており、周辺機器制御機能も集積化した１チッププロセッサーを使用することができる。従って、ネットワークモジュール８ａをテレビジョン受信装置１１ａに内蔵させたとしても、価格を抑えることができ、しかもコンパクトなモジュールなので、テレビジョン受信装置の大きさが大きくなることはない。
【００３７】
この発明は、上述した一実施形態に限定されるものではなく、この発明の要旨を逸脱しない範囲内でさまざまな変形や応用が可能である。例えば、上述した一実施形態では、受信装置と携帯撮像装置はデジタル接続はもとより、アナログ接続や無線方式で接続した場合にもこの発明を適用できる。
【００３８】
また、上述した一実施形態では、テレビ電話という用途にこの発明を適用したが、送受信する画像データは、携帯撮像装置に録画された画像データを再生し送受信する場合にもこの発明を適用できる。
【００３９】
またテレビジョン受信装置に内蔵されているネットワークモジュールは、テレビ電話機能に特化しても良いし、プラウザを搭載してネットアルバムや、メールアプリケーションを搭載することによりインターネットに使用することもできる。即ち、アプリケーションを限定するものではなく、アプリケーションソフトウェア或いはミドルウェア、ドライバーを任意に変更することにより、機能の追加ができ、より多くの用途に用いることが可能となる。
【図面の簡単な説明】
【００４０】
【図１】この発明の受信装置を利用したテレビ電話の概要を示す略線図である。
【図２】受信装置を制御するリモコンの使い方の一例を示す略線図である。
【図３】テレビ電話のためのソフトウェアのバージョンアップの一例を示す略線図である。
【図４】テレビ電話の一連の動作を示すフローチャートである。
【図５】この発明の受信装置の構成の一例を示すブロック図である。
【図６】ネットワークモジュールの構成の一例を示す略線図である。
【符号の説明】
【００４１】
３ａ、３ｂ      携帯撮像装置
８ａ、８ｂ      ネットワークモジュール
１０ａ、１０ｂ  リモートコントローラ
１１ａ、１１ｂ  テレビジョン受信装置
【図１】
2005086399.tif 000003
【図２】
2005086399.tif 000004
【図３】
2005086399.tif 000005
【図４】
2005086399.tif 000006
【図５】
2005086399.tif 000007
【図６】
2005086399.tif 000008